(57)【要約】【課題】簡単な構成で小開口部からの異物の流入と流入量の減少もなく、異物の噛み込みによる空気孔の不完全な閉塞を防止する。【解決手段】下端部に流通管路に連通し排気用の大空気孔６を有する弁箱２内で、案内筒部材９により遊動弁体７およびフロート弁体８の昇降を案内させ、案内筒部材９の底部に形成された小開口部１１から案内筒部材９内に流入された水により、フロート弁体８を介して遊動弁体７を上昇させて、大空気孔６の周囲の弁座１２に遊動弁体７を当接させて閉鎖する空気弁１において、小開口部１１の下部に、小開口部１１から下方に所定の流通空間３２ｂをあけて小開口部１１より広い流入開口面３２ａが形成されたリング状の支持部材３２を設け、支持部材３２の流入開口部３２ａに網板３３を設けた。【選択図】        図１
2004204980.tif 000002
【特許請求の範囲】
【請求項１】
流通管路に連通された連通孔が下部に形成されるとともに上部に空気孔が形成された弁箱と、上端開口部が前記空気孔に連通され下端部に小開口部が形成された筒状の案内筒部材と、該案内筒部材内に案内されて昇降し前記空気孔を開閉する遊動弁体および該遊動弁体を昇降させるフロート弁体と、前記案内筒部材の側部に形成された流通口とを具備し、前記小開口部から案内筒部材内に流入された液体により前記フロート弁体を介して遊動弁体を上昇させ、遊動弁体を前記空気孔の周囲に形成された弁座に当接させて前記空気口を閉鎖する空気弁であって、
前記小開口部の下部に、中央部ストレーナを設け、
前記中央部ストレーナを、小開口部から下方に所定の流通空間をあけて小開口部より広い流入開口面が形成された支持部材と、前記支持部材の流入開口面に取り付けられたストレーナ部材とで構成した
ことを特徴とする空気弁。
【請求項２】
支持部材を複数の脚部材を介して弁箱に支持させるとともに、支持部材を案内筒部材の下部に当接させた
ことを特徴とする請求項１記載の空気弁。
【請求項３】
流通管路に連通された連通孔が下部に形成されるとともに上部に空気孔が形成された弁箱と、上端開口部が前記空気孔に連通され下端部に小開口部が形成された筒状の案内筒部材と、該案内筒部材内に案内されて昇降し前記空気孔を開閉する遊動弁体および該遊動弁体を昇降させるフロート弁体と、前記案内筒部材の側部に形成された流通口とを具備し、前記小開口部から案内筒部材内に流入された液体により前記フロート弁体を介して遊動弁体を上昇させ、遊動弁体を前記空気孔の周囲に形成された弁座に当接させて前記空気口を閉鎖する空気弁であって、
前記小開口部に、下方に膨出されて小開口部より広い流入開口面を有する膨出状のストレーナ部材を設けた
ことを特徴とする空気弁。
【請求項４】
ストレーナ部材を網材により構成し、
流入開口面の面積を、小開口部の流路断面積と前記網材が流路をふさぐ面積の和以上とした
ことを特徴とする請求項１または３記載の空気弁。
【発明の詳細な説明】
【０００１】
【発明の属する技術分野】
本発明は、例えば農水や下水等のように、土砂等の固形状異物を含んだ流体の流通管路に取付けられて排水や充水をスムーズに行えるようにするために流通管路から空気を急速に外部に抜き出すために用いられる空気弁に関する。
【０００２】
【従来の技術】
従来、この種の空気弁としては、例えば、特許文献１がある。この空気弁は、、図１１に示すように、農水や下水などの流通管路にチイー管を介して連通設置された弁箱５１の上端部に、空気を排出するための空気口５２を形成し、弁箱５１内に上部外周に複数の連通穴５３が形成された案内部材５４を配置し、前記案内部材５４の底部に小開口部５５を形成するとともに、案内部材５４内に空気口５２を開閉する浮動弁体５７とフロート弁体５６とを昇降自在に配置したものである。また、浮動弁体５７の下部にはフロート弁体５６の昇降を案内するガイド筒部５６ａが形成され、浮動弁体５７の上部にフロート弁体５６の昇降により開閉される小空気孔５８が形成されている。そして、ガイド筒部５７ａの下端開口面に、土砂や泥，ゴミ等の異物（固形物）の流入を防止するストレーナ５９が取り付けられていた。
【０００３】
【特許文献１】
実開昭６４−１１４８３号公報（第２図、第３図）
【０００４】
【発明が解決しようとする課題】
しかしながら、特許文献１では、土砂や泥，ゴミ等の固形状の異物が多く含まれている場合、ストレーナ５９により、フロート弁体５６とガイド筒部５７ａとの隙間や、小空気孔５８への流入や閉塞を防止できるものの、浮動弁体５７と案内部材５４の隙間や、浮動弁体５７と空気口５２周囲の弁座５２ａへの流入や閉塞が防止できず、浮動弁体５７が昇降不能となったり、浮動弁体５７と弁座５２ａとの間に前記異物が噛み込んで隙間ができ、空気口５２が完全に閉塞されないといった問題が生じる。
【０００５】
この対策として、小開口部５５に金網などからなるストレーナを取り付けることが考えられるが、ストレーナ５９を構成する線材が小開口部５５の開口面積を絞ることになり、空気弁の機能が低下する。
【０００６】
なお、小開口部５５の流入面を増大させるような設計変更は、案内部材の成形型の変更を伴い、製造コストを増大させて競争力の低下を招く。また、既設の空気弁や製造済みの空気弁の改造する場合にも、案内部材の交換に時間と手間がかかり、補修コストが嵩むという問題がある。
【０００７】
本発明は、簡単な構成で小開口部からの異物の流入と流入量の減少もなく、異物の噛み込みによる空気孔の不完全な閉塞を防止できる空気弁を提供することを目的とする。
【０００８】
【課題を解決するための手段】
前記目的を達成するために請求項１記載の発明は、流通管路に連通された連通孔が下部に形成されるとともに上部に空気孔が形成された弁箱と、上端開口部が前記空気孔に連通され下端部に小開口部が形成された筒状の案内筒部材と、該案内筒部材内に案内されて昇降し前記空気孔を開閉する遊動弁体および該遊動弁体を昇降させるフロート弁体と、前記案内筒部材の側部に形成された流通口とを具備し、前記小開口部から案内筒部材内に流入された液体により前記フロート弁体を介して遊動弁体を上昇させ、遊動弁体を前記空気孔の周囲に形成された弁座に当接させて前記空気口を閉鎖する空気弁であって、前記小開口部の下部に、中央部ストレーナを設け、前記中央部ストレーナを、小開口部から下方に所定の流通空間をあけて小開口部より広い流入開口面が形成された支持部材と、前記支持部材の流入開口面に取り付けられたストレーナ部材とで構成したものである。
【０００９】
上記構成において、遊動弁体とフロート弁体とが共に下降されて空気孔が開放された状態で、流通管路内に液体（水等）が流されると、流通管路内の空気が空気孔を通じて排気される。そして、前記液体が流通管路内に充足されると、その液体の一部が小開口部から案内筒部材内に流入し、弁箱内の水位が上昇されてフロート弁体を押し上げ、これにより遊動弁体が押し上げられて弁座に当接することにより、空気孔が閉塞され、空気の排気作用が終了する。
【００１０】
この時、小開口部に流入する液体は、広い流入開口面から支持部材を介して小開口部に流入し、ストレーナ部材により、液体に同伴された土砂や泥，ゴミ等の異物の流入が捕捉されて案内筒部材内に流入することがない。
【００１１】
したがって、小開口部より広い流入開口面を所定の流通空間をあけて配置したので、ストレーナ部材により流入開口面の流路がふさがれることがあっても、小開口部から流入する液体が絞られることがなく、空気弁の機能低下を招くことがない。これにより、簡単な構成で小開口部の断面の減少を最小限に止めることができ、小開口部からの異物の流入を防止して、異物の噛み込みによる空気孔の不完全な閉塞を防止することができる。
【００１２】
請求項２記載の発明は、支持部材を複数の脚部材を介して弁箱に支持させるとともに、支持部材を案内筒部材の下部に当接させたものである。
上記構成によれば、流通管路から案内筒部材の流通口を介して空気口に排出される流体（空気）の流れを、脚部材により阻害することなく、弁箱に支持部材を支持させるので、案内筒部材を取り外して弁箱内に中心部ストレーナを設置し、案内筒部材を装着して案内筒部材により支持部材を固定する。これにより既設の空気弁や組立済みの空気弁への装着が容易かつ短時間で可能となる。
【００１３】
請求項３記載の発明は、下端部に流通管路に連通された連通孔が形成されるとともに上端部に空気孔が形成された弁箱と、上端開口部が前記空気孔に連通され下端部に小開口部が形成された筒状の案内筒部材と、該案内筒部材内にそれぞれ案内されて昇降し前記空気孔を開閉する遊動弁体および該遊動弁体を昇降させるフロート弁体と、前記案内筒部材の側部に形成された流通口とを具備し、前記小開口部から案内筒部材に流入された液体により前記フロート弁体を介して遊動弁体を上昇させ、遊動弁体を前記空気孔の周囲に形成された弁座に当接させて前記空気口を閉鎖する空気弁であって、前記小開口部に、下方に膨出されて小開口部より広い流入開口面を有する膨出状のストレーナ部材を設けたものである。
【００１４】
上記構成によれば、ストレーナ部材の構成部材により流路がふさがれることがあっても、ストレーナ部材を下方に膨出状に形成することで、広い流入面積を確保することができ、ストレーナ部材の構成部材により小開口部から流入する流体が絞られることがない。これにより、ストレーナ部材により、小開口部から流入される異物を効果的に捕捉して、異物の噛み込みによる空気孔の不完全な閉塞を防止することができる。
【００１５】
請求項４記載の発明は、ストレーナ部材を網材により構成し、流入開口面の面積を、小開口部の流路断面積と前記網材が流路をふさぐ面積の和以上としたものである。
【００１６】
上記構成によれば、流入開口面を、小開口部の断面積と網材の流路をふさぐ面積の和以上とすることにより、従前の小開口部の断面積以上を確保して、ストレーナ部材により流路が塞がれても良好な液体の流入が実現できる。
【００１７】
【発明の実施の形態】
以下、本発明に係る空気弁の実施の形態を図１〜図７に基づいて説明する。
図７に示すように、この空気弁１は、流通管路４のチイー管４ａの分岐側に、空気弁１をメンテナンスする時に使用する補修弁２０を介して接続されたものである。
【００１８】
空気弁１は、図１，図２に示すように、円筒状の胴部２ａと、この胴部２ａの上端部に複数本のボルトを介して取付けられた円環状の蓋部２ｂとで構成された弁箱２を具備し、胴部２ａの下端部に、流通管路４に連通する連通孔５が形成されている。また蓋部２ｂには、大空気孔６（空気孔）が形成されている。
【００１９】
前記弁箱２内には、蓋部２ｂから大空気孔６を囲む案内筒部材９が垂下されて胴部２ａ内に挿入されており、この案内筒部材９は、上部の円筒部９ａと下部の円錐部９ｂとで有底筒状に形成されている。そして、案内筒部材９の上部の周側面に、複数の流通口１０が切り欠いて形成されるとともに、案内筒部材９の底部に小開口部１１が形成されている。さらに案内筒部材９内には、大空気孔６を開閉する昇降自在な遊動弁体７と、この遊動弁体７を昇降させるフロート弁体８とが設けられている。
また遊動弁体７は、弁体部７ａと、弁体部７ａから垂下された筒部７ｂとで構成されており、弁体部７ａの上面に突設された突状部７ｃと、突状部７ｃの周囲に形成された平坦部７ｄとを有している。そして、図２に示すように、フロート弁体８により遊動弁体７が上昇すると、突状部７ｃが大空気孔６内に侵入して平坦部７ｄが大空気孔６の周囲に形成された弁座１２に当接し、大空気孔６を遊動弁体７で閉塞するように構成される。また、前記遊動弁体７の突状部７ｃの側部寄りに、案内筒部材９内と大空気孔６とを連通する小空気孔１３が形成されている。
【００２０】
前記フロート弁体８は、下部が下方に膨出する円柱錐体形に形成され、内部に浮力を有する発泡樹脂が充填された中実状か、あるいは中空状に形成されている。またフロート弁体８は、遊動弁体７の筒部７ｂ内を昇降自在に配置され、上昇限位置で小空気孔１３を閉鎖するように構成されている。
【００２１】
前記蓋部２ｂの上方には、排出空間をあけて大空気孔６を覆うカバー１４が複数のボルトを介して取り付けられている。
弁箱２の胴部２ａの内周面と案内筒部材９の外周面との間には、前記連通孔５から流通口１０に通じる環状流路１５が形成されており、この環状流路１５には環状流路１５を流れる流体中の異物を除去する周部ストレーナ（ストレーナ）２１が設けられている。
【００２２】
この周部ストレーナ２１は、上縁部が胴部２ａの内面上端部に密接されるとともに蓋部２ｂに上昇を規制されるとともに、下縁部が案内筒部材９の円筒部９ａの下部外面に密接されて配置されており、大径の上縁部から小径の下縁部に至る逆円錐台筒状に形成されて通過面を広く確保している。また周部ストレーナ２１は、多数の開口が形成された金属製網材やパンチングメタルなどからなる逆円錐台筒状の捕捉用筒体（板材）２２と、捕捉用筒体２２の上縁部および下縁部に設けられた上下キャップ（弾性部材）２３，２４とで構成され、前記捕捉用筒体２２は、水に同伴される異物を捕捉可能な開口粗さに設定されている。
【００２３】
ところで、この捕捉用筒体２２は金属製であるため、製造誤差が大きいと、胴部２ｂおよび案内筒部材９との間に隙間が生じたり、下方にずり落ちたりする恐れがある。この製造誤差を許容するために、合成ゴムや樹脂などの弾力性を有する材質によりリング状の上キャップ２３および下キャップ２４がそれぞれ形成されている。これら上キャップ２３および下キャップ２４は、捕捉用筒体２２に一体に成形されるか、またはキャップ２３，２４に形成された装着用スリットに捕捉用筒体２２を挿入して接着材により固定されている。また図５に示すように、前記上下キャップ２３，２４は、捕捉用筒体２２の縁部が装着される本体部２３ａ，２４ａと、胴部２ａの内周面または案内筒部材９の外周面に圧接される凸条部２３ｂ，２４ｂとで構成されている。このように本体部２３ａ，２４ａに凸条部２３ｂ，２４ｂを形成することにより、弁箱１と案内筒部材９との間に装入されると、凸条部２３ｂ，２４ｂが押し潰されて密接状態を確実に維持でき、また接触面の拡大と押付け力とにより、大きい摩擦抵抗でストレーナが確実に位置規制されてずり落ちるのを効果的に防止することができる。
【００２４】
なお、図６（ａ）に示すように、凸条部２３ｂ，２４ｂ内に弾性を向上させる中空孔２２ｃ，２３ｃを形成してもよいし、図６（ｂ）に示すように、凸条部２３ｂ，２４ｂを復元性の高いリップ部２２ｄ，２３ｄに形成しても同様の作用効果を奏することができる。
【００２５】
ところで、捕捉用筒体２２の上縁部が蓋部２ｂで押さえられていることから、上下キャップ２２，２３に代えて、案内筒部材９の外周面に捕捉用筒体２２を下方から支持するリング状突条部を周方向に沿って突設することも考えられるが、案内筒部材９の鋳造用金型の変更が必要でコスト高になり、環状流路１７が突条により削減され、またゴミなども溜まりやすくなり、流体の流れにも悪影響を及ぼすおそれがある。また伸縮性（弾性）のある合成ゴム等によりストレーナを製作することができるが、空気の流出時に内外の差圧が生じて変形し、隙間が生じて流体中の異物を除去できないおそれがある。
【００２６】
前記案内筒部材９の下部には、本発明に係る中央部ストレーナ３１が設けられている。この中央部ストレーナ３１は小開口部１１からの異物の流入を防ぐもので、図３に示すように、小開口部１１の下部に配置されたリング状の支持部材３２と、支持部材３２の流入開口部３２ａに取り付けられた網板（ストレーナ部材）３３と、前記支持部材３２を弁箱２内に保持するロッド状支持脚（脚部材）３４とで構成されている。前記支持部材３２は、網板３３の構成線材（構成部材）により流路がふさがれても、小開口部１１から流入する水の流入量が絞られる流量損失を防止するためのもので、下面に小開口部１１より広い流入開口面３２ａに網板３３取り付けられるとともに、この流入開口面３２ａから小開口部１１まで所定の流通空間３２ｂが形成されている。
【００２７】
また図３では、支持部材３２が直状の短円筒形に形成されているが、図４に示すように、少なくとも内面を小開口部１１に対応する上面小径部から大径の流入開口面３２ａに至るテーパ状（円錐台状）に形成することにより、流通空間３２ｂにおける水の流れの抵抗をなくしてスムーズに流入させることができる。また前記網板３４は、異物の浸入を防止できる篩目の平板状の金属製網材により形成されている。さらに支持脚３４は、金属製の線材により形成されて支持部材３２から等角度ごとに半径方向に複数（図では９０度ごと４本）が突設され、先端側に下方に折り曲げられた接地部３２ａが形成され、接地部３２ａが弁箱２の胴部２ｂに形成された段部２ｃに着地されている。したがって、既設の空気弁１への中央部ストレーナ３１の装着は、蓋部材２ｂを胴部２ａから取り外して案内筒部材９を胴部２ａから抜き出し、中央部ストレーナ３１を胴部２Ａ内に挿入し支持脚３４を段部２ｃに着地させて位置決めし、蓋部材２ｂを胴部２ａに再装着して案内筒部材９を支持部材３２に当接させて固定し、容易かつ短時間で着脱、交換することができる。
【００２８】
またこの中央部ストレーナ３１では、流入開口面３２ａの面積が、小開口部１の流路断面積と網板３３の構成線材が流路をふさぐ面積との和以上となるように設定される。すなわち、小開口部１１の開口面積：Ｓａ、網板３３により流路をふさぐ面積：Ｓｂ、流入開口面３２ａの開口面積：Ｓｃとすると、
Ｓｃ≧Ｓａ＋Ｓｂで表される。
【００２９】
ここで流入開口面３２ａの開口面積Ｓｃを、小開口部１１の流路断面積Ｓａと網板３３が流路をふさぐ面積Ｓｂの和を越えてもよいとした理由は、流入開口面３２ａからの流入量が多くても、最終的に小開口部１１で絞られるからであり、また網板３３で異物を捕捉すると部分的に流路が塞がれることから、十分な開口面積を確保しておくほうが望ましいからである。
【００３０】
次に、上記構成の空気弁１の動作を説明する。
流通管路４全体への充水を行う場合、多量の排気が行われる。図１に示すように、流通管路４内に空気が充満されている状態では、遊動弁体７とフロート弁体８とが共に案内筒部材９内の下部に下降し、大空気孔６が開放されている。そして、流通管路４内に水が流されると、流通管路４内の空気が連通孔５から弁箱２内に流入し、環状通路１５から周部ストレーナ２１および流通口１０を介して大空気孔６から弁箱２外に排気される。
【００３１】
そして水が流通管路４内に充満されると、その水の一部が連通孔５を通じて弁箱２内に流入し、その一部が小開口部１１から案内筒部材９の内部に流入する。そして弁箱２内の水位が上昇するのに従って、フロート弁体８が上昇して遊動弁体７が押し上げられ、図２に示すように、遊動弁体７の平坦部７ｂが弁座１２に当接して、大空気孔６が閉塞される。さらにフロート弁体８が小空気孔１４を閉塞して、排気作用が終了する。
【００３２】
この時、連通孔５から流入する水に同伴された異物（土砂や泥，ゴミ等）は、環状通路１５では周部ストレーナ２１によって捕捉されて流入が防止されるととともに、小開口部１１では中央部ストレーナ３１によって補足されて流入が防止される。また中央部ストレーナ３１では、小開口部１１より大きい面積の流入開口面３２ａに取り付けられた網板３３で異物を除去するので、中央部ストレーナ３１により小開口部１１からの流入量が絞られることが無く、異物を除去しつつ小開口部１１から案内筒部材９内に水を良好に流入させることができる。
【００３３】
このように、周部ストレーナ２１および中央部ストレーナ３１により、水に同伴された異物が流通口１０や小開口部１１から案内筒部材９内へ侵入前な捕捉され、遊動弁体７の平坦部７ｂと弁座１３との間に異物が噛み込むことがなく、大空気孔６が遊動弁体７によって完全に閉塞可能となり、また遊動弁体７やフロート弁体８の昇降の障害となることもない。
【００３４】
次いで、図２のように、遊動弁体７により大空気孔６が閉塞されて内圧がかかった状態になると、このままでは遊動弁体７が下降できず、大空気孔６は開かれない。しかし、流通管路４が満管に達した後、弁箱２内に次第に空気が溜ると、弁箱２内の水位が低下し、フロート弁体８が下降して小空気孔１３が開き、弁箱２内の空気が小空気孔１３を通じて弁箱２の外部に排気（圧力下排気）される。排気後、弁箱２内の水位が上昇すると、フロート弁体８が上昇し小空気孔１３が再び閉塞される。
【００３５】
上記実施の形態によれば、弁箱２の胴部２ａと案内筒部材９との間の環状流路１５に、周部ストレーナ２１を設けたので、連通孔５から流通口１０に至る水は、周部ストレーナ２１により異物が捕捉されて案内筒部材９内に流入されことがなく、遊動弁体７と弁座１２との間に異物が噛み込まれることがない。また捕捉用筒体２２を逆円錐台筒形とすることで、水が通過する面積を広く確保して異物の詰まりがあっても流量が減少されることがなく、構成部材による環状流路１５の流量損失を最小限とすることができる。また捕捉用筒体２２を金属製とすることで、排気時に負荷される弁箱２内外における差圧により変形することがない。さらに、捕捉用筒体２２の縁部に取り付けられたキャップ２３，２４により、捕捉用筒体２２に製作誤差があっても、周部ストレーナ２１を弁箱２と案内筒部材９との間に密接させることができるとともに、周部ストレーナ２１がずり落ちるのを防止することができる。
【００３６】
さらに、キャップ２３，２４の本体部２３ａ，２４ａに凸条部２３ｂ，２４ｂを形成したので、胴部２ａと案内筒部材９との間で、凸条部２３ｂ，２４ｂが押し潰されて周部ストレーナ２１の密接状態を維持できるとともに、接触面の拡大と押付け力とにより、大きい摩擦抵抗で周部ストレーナ２１を固定してずり落ちるのを確実に防止することができる。
【００３７】
また中心部ストレーナ３１によれば、小開口部１１に流入する水は、中央部ストレーナの広い流入開口面３２ａから支持部材３２の流通空間３２ｂを介して流入し、網板３３により水に同伴された異物が捕捉されて案内筒部材９内に流入することがない。また、網板３３の構成部材が流入量を絞ることがあっても、流入開口面３２ａが小開口部１１より十分に広く形成されていることから、小開口部１１から案内筒部材９内に流入する水の流入量が絞られることがなく、空気弁１の機能が低下されることがない。したがって、簡単な構成で網板３３による小開口部１１の流入量をなくして、小開口部１１から案内筒部材９内への異物の流入を確実に防止することができ、異物の噛み込みによる大空気孔６の不完全な閉塞を防止することができる。
【００３８】
またストレーナ部材を金属製の網材からなる網板３３により構成し、Ｓｃ≧Ｓａ＋Ｓｂとすることで、小開口部１１から案内筒部材９内に流入する水の流入量の減少を防止して、空気弁１の機能低下を防止することができる。
【００３９】
さらに中央部ストレーナ３１を小開口部１１の下部に中央部ストレーナ３１を配置したので、フロート弁体８や遊動弁体７の動きに悪影響を及ぼすことがない。
【００４０】
さらにまた、中央部ストレーナ３１では、複数本の支持脚３４を介して弁箱２の段部２ｃに支持部材３２を支持させ、上方から案内筒部材を当て付けるので、連通孔５から大空気孔６に至る流体の流れの障害となることなく、また既設や組立済みの空気弁に容易かつ短時間で正確に装着することができる。さらに弁箱２の段部２ｃに着地される支持脚３４の接地部３４ａの折り曲げ長さを調整することで、支持部材３２を小開口部１１の直下位置に接するように配置することができる。また支持脚３４の弾性を利用して、支持部材３２を案内筒部材９に僅かに押付けて支持部材３２を強固にかつ精度よく位置決め固定することができる。
【００４１】
次に図９〜図１０に基づいて、中央部ストレーナの他の実施の形態を説明する。この中央部ストレーナ４１は、小開口部１１の下部に配置されるリング状の支持部材４３の孔部に、下方に膨出されて小開口部１１より広い流入開口面４２ａを有する膨出ストレーナ部材（ストレーナ部材）４２を設けたものである。
【００４２】
すなわち、支持部材４３で小開口部１１に当接する反対面（底面）に半球体面状の膨出ストレーナ部材４２の開口部が接着や溶接、固定具（ビス等、図示せずにより）により固定されたもので、この膨出ストレーナ部材４２には金属製網材や金属製パンチングプレート、樹脂製網材が使用される。また図１０（ａ）に示すように、膨出ストレーナ部材４２の開口縁部を外側に折り曲げて補強支持部４２ｂを形成し、支持部材４３の上面に形成された係止段部４３ａに上方から係合させることで、膨出ストレーナ部材４２を支持部材４３に着脱自在に構成することもできる。これにより、膨出ストレーナ部材４２の交換を容易に行うことができる。
【００４３】
上記実施の形態によれば、先の実施の形態と同様の作用効果を奏するとともに、支持部材４３から膨出ストレーナ部材４２を下方に膨出させることで、流入開口面４２ａを湾曲させて十分に広い面積を確保することができる。したがって、小開口部１１から案内筒部材９内に流入する水の流入量を減少させることなく、異物の流入を防止することができ、また極めて簡単な構造で、容易かつ短時間で中央部ストレーナ４１を装着することができる。
【００４４】
なお、膨出ストレーナ部材４２の変形例として、図１０（ｂ）に示す円錐台状の膨出ストレーナ部材４５や、図１０（ｃ）に示す球状の膨出ストレーナ部材４６であっても同様の効果を奏することができる。
【００４５】
なお、上記実施の形態では、流体の一例として、農水や下水を挙げたが、水以外の液体であってもよい。
【００４６】
【発明の効果】
以上のように、請求項１記載の発明によれば、遊動弁体とフロート弁体とが共に下降されて空気孔が開放された状態で、流通管路内に液体（水等）が流されると、流通管路内の空気が空気孔を通じて排気される。そして、前記液体が流通管路内に充足されると、その液体の一部が小開口部から案内筒部材内に流入し、弁箱内の水位が上昇されてフロート弁体を押し上げ、これにより遊動弁体が押し上げられて弁座に当接することにより、空気孔が閉塞され、空気の排気作用が終了する。
【００４７】
この時、小開口部に流入する液体は、広い流入開口面から支持部材を介して小開口部に流入し、ストレーナ部材により、液体に同伴された土砂や泥，ゴミ等の異物の流入が捕捉されて案内筒部材内に流入することがない。
【００４８】
したがって、小開口部より広い流入開口面を所定の流通空間をあけて配置したので、ストレーナ部材により流入開口面の流路がふさがれることがあっても、小開口部から流入する液体が絞られることがなく、空気弁の機能低下を招くことがない。これにより、簡単な構成で小開口部の断面の減少を最小限に止めることができ、小開口部からの異物の流入を防止して、異物の噛み込みによる空気孔の不完全な閉塞を防止することができる。
【００４９】
請求項２記載の発明によれば、流通管路から案内筒部材の流通口を介して空気口に排出される流体（空気）の流れを、脚部材により阻害することなく、弁箱に支持部材を支持させるので、案内筒部材を取り外して弁箱内に中心部ストレーナを設置し、案内筒部材を装着して案内筒部材により支持部材を固定する。これにより既設の空気弁や組立済みの空気弁への装着が容易かつ短時間で可能となる。
【００５０】
請求項３記載の発明によれば、ストレーナ部材の構成部材により流路がふさがれることがあっても、ストレーナ部材を下方に膨出状に形成することで、広い流入面積を確保することができ、ストレーナ部材の構成部材により小開口部から流入する流体が絞られることがない。これにより、ストレーナ部材により、小開口部から流入される異物を効果的に捕捉して、異物の噛み込みによる空気孔の不完全な閉塞を防止することができる。
【００５１】
請求項４記載の発明によれば、流入開口面を、小開口部の断面積と網材の流路をふさぐ面積の和以上とすることにより、従前の小開口部の断面積以上を確保して、ストレーナ部材により流路が塞がれても良好な液体の流入が実現できる。
【図面の簡単な説明】
【図１】本発明に係る空気弁の第１の実施の形態を示す中央縦断面図である。
【図２】同空気弁の閉鎖状態を示す中央縦断面図である。
【図３】同空気弁の中央部ストレーナを示す斜視図である。
【図４】同中央部ストレーナの変形例を示す縦断面図である。
【図５】同周部ストレーナを示す部分断面図である。
【図６】（ａ）および（ｂ）はそれぞれ同周部ストレーナのキャップの変形例を示す部分断面図である。
【図７】同空気弁の設置状態を示す組立図である。
【図８】本発明に係る空気弁の他の実施の形態を示す縦断面図である。
【図９】同空気弁の中央部ストレーナを示す側面断面図である。
【図１０】（ａ）〜（ｃ）はそれぞれ同中央部ストレーナの変形例を示す側面断面図である。
【図１１】（ａ）は従来の空気弁を示す開状態の中央縦断面図、（ｂ）は閉状態の空気弁を示す中央縦断面図である。
【符号の説明】
１    空気弁
２    弁箱
２ａ  胴部
２ｂ  蓋部
２ｃ  段部
４    流通管路
５    連通孔
６    大空気孔（空気孔）
７    遊動弁体
８    フロート弁体
９    案内筒部材
１０    流通口
１１    小開口部
１２    弁座
１３    小空気孔
１４    カバー
１５    環状流路
２１    周部ストレーナ
２２    メッシュ筒
２３    上キャップ
２４    下キャップ
３１    中央部ストレーナ
３２    支持部材
３２ａ  流入開口部
３３    網板
３４    支持脚
３４ａ  接地部
４１    中央部ストレーナ
４２，４５，４６  膨出ストレーナ部材
４２ａ  流入開口面
４３    支持部材
４３ａ  係止段部
【図１】
2004204980.tif 000003
【図２】
2004204980.tif 000004
【図３】
2004204980.tif 000005
【図４】
2004204980.tif 000006
【図５】
2004204980.tif 000007
【図６】
2004204980.tif 000008
【図７】
2004204980.tif 000009
【図８】
2004204980.tif 000010
【図９】
2004204980.tif 000011
【図１０】
2004204980.tif 000012
【図１１】
2004204980.tif 000013